(57)【特許請求の範囲】
【請求項１】
撮像面に最も接近する第１の位置と撮像面から最も遠ざかる第２の位置との間で移動可能なレンズ保持枠を有するレンズ鏡筒において、
固定部材と、
上記固定部材に対して回転可能に設けられた回転枠と、
上記回転枠に設けられたカムにカム係合していて、上記回転枠の回転に応じて上記固定部材に対して回転可能なカム枠と、
上記カム枠に設けられたカムに係合していて、上記回転枠の回転量に応じて光軸方向に移動可能な移動枠と、
上記回転枠に対して回動自在であって、光軸方向には上記回転枠と一体的に移動可能に支持された第１のガイド部材と、
上記カム枠に対して回動自在であって、光軸方向には上記カム枠と一体的に移動可能に支持されていて、且つ上記第１のガイド部材に係合して光軸方向に直進移動ガイドされていて、上記移動枠を光軸方向に直進移動可能にガイドする第２のガイド部材と、
光軸方向に移動可能である上記レンズ保持枠を上記移動枠に対して光軸方向所定位置へ移動させると共に上記移動枠及び第１，２のガイド部材を上記レンズ保持枠に対して所定量回動して、上記移動枠と上記レンズ保持枠とを光軸方向に一体的に移動可能に結合させる結合手段と、
を具備したことを特徴とするレンズ移動装置。
【請求項２】
撮像面に最も接近する第１の位置と撮像面から最も遠ざかる第２の位置との間で移動可能なレンズ保持枠を有するレンズ鏡筒において、
回転可能に設けられた回転枠と、
上記回転枠の回転量に応じて光軸方向に移動可能な移動枠と、
上記レンズ保持枠を光軸方向に駆動する第１の駆動源と、
上記回転枠を回転駆動する第２の駆動源と、
上記第１の駆動源により上記レンズ保持枠を上記第１の位置から光軸前方に繰り出していき、上記移動枠と結合可能な所定移動位置へ設定させた後に、上記第２の駆動源による上記回転枠の回動により上記移動枠を所定量回動させて、上記レンズ保持枠と上記移動枠とを光軸方向に一体的に移動可能に結合する結合手段と、
を具備し、
上記結合手段による結合状態において、さらに上記第２の駆動源により上記回転枠が回動されることにより、上記移動枠と上記レンズ保持枠とを一体的に光軸方向に移動させて、上記第２の位置へ上記レンズ保持枠を移動可能としたことを特徴とするレンズ移動装置。
【請求項３】
上記回転枠及び上記移動枠は、光軸方向に移動せずに一体的に回転のみを行なう領域と、光軸方向に進退移動する領域とを有していて、
上記結合手段による上記レンズ保持枠と上記移動枠との結合は、上記回転枠及び上記移動枠が一体的に回転のみを行なう領域での作動に応じて結合されるバヨネット機構によって行なわれることを特徴とする請求項２に記載のレンズ移動装置。
【発明の詳細な説明】
【０００１】
【発明の属する技術分野】
本発明はカメラの撮影レンズの移動装置に関する。
【０００２】
【従来の技術】
従来よりカメラの撮影レンズを駆動するに当たって、レンズを複数段の段階的繰出しとすることにより不使用時のレンズ鏡筒部分を小形化するようにしたレンズ移動装置が種々知られており、本出願人もこのための一手段として特願平７−３３２１２１号を出願している。この出願では鏡筒の外径を小さくすることができるようにした発明を開示しており、その中では「従来の鏡枠で一般に用いられているカム、ヘリコイド等の繰出し機構を用いて直進繰出しをした場合、繰出段数をｎとすると枠の数は２ｎ＋１となる。最小必要な鏡枠内径をｄ、枠の肉厚をｔとすると、鏡枠外形Ｄ0 は、
Ｄ0 ＝ｄ＋２×（２ｎ＋１）×ｔ
となるが、この発明を使いガイド部材を全て同一径に配することで２ｎ＋１の枠の数があるｎ段の繰出し段数を持つ鏡枠は、枠外径Ｄ1 が、
Ｄ1 ＝ｄ＋２×（ｎ＋２）×ｔ
となり、従来と比較した場合、
Ｄ0 −Ｄ1 ＝２×（ｎ−１）×ｔ
だけこの発明の方が外径が小さくなる。」と述べられている。
【０００３】
ここで仮にｎ＝４としたときの、撮像面からレンズが最も遠ざかった位置での概略構成図を図１２に示す。図中、６５はカメラ本体、６７は回転枠６３を回転させるための動力源としてのモ−タ、６８はその動力伝達ギヤである。上記回転枠６３は固定案内部材６４と押さえ板６９に挟まれ、回転可能に取り付けられている。また符号６６は外装部材である。６２は第１のガイド枠で回転枠６３に符号６２ａ部分でカム係合し、第１のカム枠６１に対してはレンズ進退方向に追従し、回転方向には第１のカム枠６１が回動できるように符号６２ｃ部分で係合している。第１のカム枠６１は上記回転枠６３と符号６１ａ部分でカム係合し、回転しつつ進退する。６０は第２のガイド枠で、第１のカム枠６１とカム係合している。５９は第２のカム枠で上記第２のガイド枠６０と回転可能に嵌合していると共に、第１のカム枠６１にカム係合し、回転しつつ進退する。５７は第３のガイド枠で第２のカム枠５９とカム係合すると共に第３のカム枠５８に対してはレンズ進退方向に追従し、回転方向には第３のカム枠５８が回動できるように係合している。第３のカム枠５８は第２のカム枠５９とカム係合し、回転しつつ進退する。５６は第１のレンズ保持枠で第３のカム枠５８にカム係合している。５０は第１のレンズ保持枠５６の内側にある第２のレンズ保持枠である。
この４段繰出しの鏡筒の場合は、回転枠６３、固定案内部材６４、第１、第２、第３のカム枠６１、５９、５８、第１の保持枠５６、第１、第２、第３のガイド枠６２、６０、５７の計９個の枠が必要となる。
【０００４】
【発明が解決しようとする課題】
上記先願の発明においてはｎ段の繰出しに対し、外径は２×（ｎ−１）×ｔだけ小さくなるが、枠数としては２ｎ＋１と従来の枠数と同じであり、部品点数、コストの面でまだ十分とはいえない。また更なる小径化を行うためには枠自体を薄肉化しなくてはならず、これには強度的な問題から限界がある。またガイド枠が同一径に並ぶため、ガイド枠の厚みに余裕がないと、従来から知られているようにガイド枠が櫛歯状になり、光線漏れの恐れがある。
【０００５】
本発明は上記不具合に鑑み成されたものであって、ｎ段繰出しの枠の数を従来の構成よりも２個減らした（２ｎ−１）とすることができるようにしたものでありこれにより部品点数、コスト面での削減、更なる小径化、或いは枠の数が減った分の小径化の代りとしてその空いたスペ−スを利用しての光線漏れ対策、強度対策等の機能上での余裕を持たせることができるようにしたレンズ移動装置を得ることを目的とする。
【０００６】
【課題を解決するための手段】
本第１の発明のレンズ移動装置は、撮像面に最も接近する第１の位置と撮像面から最も遠ざかる第２の位置との間で移動可能なレンズ保持枠を有するレンズ鏡筒において、固定部材と、上記固定部材に対して回転可能に設けられた回転枠と、上記回転枠に設けられたカムにカム係合していて、上記回転枠の回転に応じて上記固定部材に対して回転可能なカム枠と、上記カム枠に設けられたカムに係合していて、上記回転枠の回転量に応じて光軸方向に移動可能な移動枠と、上記回転枠に対して回動自在であって、光軸方向には上記回転枠と一体的に移動可能に支持された第１のガイド部材と、上記カム枠に対して回動自在であって、光軸方向には上記カム枠と一体的に移動可能に支持されていて、且つ上記第１のガイド部材に係合して光軸方向に直進移動ガイドされていて、上記移動枠を光軸方向に直進移動可能にガイドする第２のガイド部材と、光軸方向に移動可能である上記レンズ保持枠を上記移動枠に対して光軸方向所定位置へ移動させると共に上記移動枠及び第１，２のガイド部材を上記レンズ保持枠に対して所定量回動して、上記移動枠と上記レンズ保持枠とを光軸方向に一体的に移動可能に結合させる結合手段と、を具備している。
【０００７】
また、本第２の発明のレンズ移動装置は、撮像面に最も接近する第１の位置と撮像面から最も遠ざかる第２の位置との間で移動可能なレンズ保持枠を有するレンズ鏡筒において、回転可能に設けられた回転枠と、上記回転枠の回転量に応じて光軸方向に移動可能な移動枠と、上記レンズ保持枠を光軸方向に駆動する第１の駆動源と、上記回転枠を回転駆動する第２の駆動源と、上記第１の駆動源により上記レンズ保持枠を上記第１の位置から光軸前方に繰り出していき、上記移動枠と結合可能な所定移動位置へ設定させた後に、上記第２の駆動源による上記回転枠の回動により上記移動枠を所定量回動させて、上記レンズ保持枠と上記移動枠とを光軸方向に一体的に移動可能に結合する結合手段と、を具備し、上記結合手段による結合状態において、さらに上記第２の駆動源により上記回転枠が回動されることにより、上記移動枠と上記レンズ保持枠とを一体的に光軸方向に移動させて、上記第２の位置へ上記レンズ保持枠を移動可能としている。
【０００８】
さらに、本第３の発明のレンズ移動装置は、上記第２の発明において、上記回転枠及び上記移動枠は、光軸方向に移動せずに一体的に回転のみを行なう領域と、光軸方向に進退移動する領域とを有していて、上記結合手段による上記レンズ保持枠と上記移動枠との結合は、上記回転枠及び上記移動枠が一体的に回転のみを行なう領域での作動に応じて結合されるバヨネット機構によって行なわれるようになっている。
【０００９】
【発明の実施の形態】
まず本発明の実施の形態の概要を説明する。
図１において、第１レンズ群Ｌ１を保持する第１の保持枠３内にあって第２レンズ群Ｌ２を保持する第２の保持枠２３に設けられたモ−タ２６によって、撮像面３３に最も接近した位置から光学的に撮影可能な位置に第１の保持枠３を繰出し、その後、上記モ−タ２６とは異なる駆動源からの動力を伝達ギヤ１８、１７を用いて第１の保持枠３を除く鏡枠全体を回転させ、繰り出した第１の保持枠３と移動枠１３とを結合させ、一時的に両者を一体化させる。その後、撮像面３３から最も遠ざかる位置までは、一体化した第１の保持枠３と移動枠１３とは回転せずに進退する。
この結果、図１２に示す先願の構成と比べ、第３のカム枠５８が不要となっている。
また、本実施の形態においては上記図１２の先願構成における回転枠６３を廃止し、カメラ本体６５と固定案内部材６４とを一体化した構成としてあるため、更にもう一つの枠が不要となっている。
これにより、本発明の実施の形態を用いることで２つの枠の削減が可能となり枠の数は（２ｎ−１）となっている。
【００１０】
以下繰出し段数を４段、レンズ群の数を３群とした場合の本発明の実施の形態を具体的に説明する。上記したごとく、枠の数は７となり従来の鏡枠の数より２個少なくなっている。また以下の図において、図１は鏡枠全体の収納状態を示す図、図２は３群のレンズＬ１，Ｌ２，Ｌ３中の第１群レンズＬ１を保持する第１保持枠３と移動枠１３との結合後、係止部材５とストッパ１６の先端部１６ａとの間の係止が解放される直前の状態を示す図、図３は係止部材５とストッパ１６の先端部１６ａとが解放され収納状態から光学的に撮影可能になった状態を示す図、図４は鏡枠が最も繰り出され撮像面３３から最も遠ざかった状態を示す図、図５は固定枠１０の内側に形成されたカム溝の展開図、図６は回転枠１１の内側に形成されたカム溝の展開図、図７はカム枠１２の内側に形成されたカム溝の展開図、図８はガイド枠Ａ１４とガイド枠Ｂ１５との円周方向での噛合い状態を示す光軸に直角な断面図、図９はストッパ１６の先端１６ａと係止部材５の係止状態を示す図、図１０、図１１は遮光部材部分を示す図である。
【００１１】
次に上記図１から図９に基づき、本実施の形態における各種鏡枠の収納状態→光学的撮影可能状態→撮像面から最も遠ざかった状態までを順次説明する。
図１において、１はＬ１、Ｌ２、Ｌ３の３群レンズを持つレンズ鏡筒であって、この３群のレンズ中の第２群レンズＬ２を保持する第２保持枠２３にはピニオン２６ａを有するモ−タ２６が取り付けられている。このモ−タ２６は図示しないカメラ本体からの信号を受けて回転駆動されるようになっている。このモ−タ２６の回転は、図示しない適宜のギヤ列を介して、第１の送りネジ８に一体的に設けられたギヤ部８ａと、第２の送りネジ９に螺合するとともに上記第２保持枠２３に対しスラスト方向の動きを規制され回転方向にはフリ−とされたナット２４とに同時に伝達され、これを受けて第１の送りネジ８とナット２４とがそれぞれ回転するようになっている。
【００１２】
上記第１の送りネジ８は一側を第２保持枠２３に保持され、他側をこの第２保持枠２３に取り付けられた２群カバ−７に係止部材５を介してこの係止部材５に対し回転可能に保持されている。上記係止部材５は上記第１の送りネジ８に対しスラスト方向では抜けないように抜け止め６で止められており、２群カバ−７に対してスラスト方向には移動可能であるが回転方向には一体となっている。また上記第１の送りネジ８は、第１レンズ保持枠３に爪部４ａで取り付けられた１群カバ−４の凸部４ｂと螺合している。一方、第２の送りネジ９は、上記第１保持枠３と１群カバ−４に回転可能に取り付けられている。
ここで上記第１の送りネジ８、第２の送りネジ９は共に右ネジに形成されている。
【００１３】
したがって、上記モ−タ２６による回転駆動力が第１の送りネジ８、ナット２４に伝わると、それぞれ同時に第１の送りネジ８が右回転、ナット２４が右回転する。ここで、第１の送りネジ８は第２保持枠２３と２群カバ−７に、係止部材５を介して取り付けられており、しかも係止部材５がストッパ１６と当てついているため、スラスト方向へ動けず、したがって凸部４ｂにて螺合していることによる反力を受けて１群カバ−４が撮像面３３と離れる方向へ移動する。これに連動して、１群カバ−４と爪部４ａにて一体化された第１保持枠３も共に前方へ移動する。一方、ナット２４も同時に右回転しているため、第２の送りネジ９を撮像面３３から離れる方向へ押し出す。
すなわち、第１の送りネジ８及びナット２４は第１保持枠３を同じ方向へ移動させることになる。
【００１４】
また、第２保持枠２３は第２群案内軸２２に嵌挿されたスリーブ３４と精密嵌合している。この第２群案内軸２２は第１保持枠３と１群カバー４との間に固定されている。すなわち、第２保持枠２３は第２案内軸２２に沿って移動する。また符号３２は第２群付勢バネあり、２８は第２群回転止めであって第２保持枠２３に固着され、１群カバー４に嵌合している。
【００１５】
Ｌ３は第３群レンズであり、２７はその保持枠としての第３保持枠である。上記第３保持枠２７には第３群案内軸２９が固着されており、この軸２９は１群カバ−４に嵌合し、その先端部には第３保持枠２７のストッパとなるリング３０が形成されている。さらに第３保持枠２７と１群カバ−４との間には、第３群案内軸２９の周囲にて３群付勢バネ３１が設けられている。またこの第３保持枠２７にもこの第３保持枠２７に固着され１群カバ−４に嵌合する回転止めの軸が設けられている。
ここで第１保持枠３と１群カバ−４が撮像面から離れる方向へ移動すると、３群付勢バネ３１により、第３保持枠２７はストッパとなるリング３０が１群カバ−４に当接するまでは第１保持枠３と１群カバ−４とが移動する方向とは逆方向へ移動し、当接後は同一方向へ移動する。
【００１６】
符号２は移動枠１３の一部に設けられたバヨネットであり、符号３ａは第１保持枠３に設けられたバヨネットである。上記第１、第２の送りネジ８、９による第１保持枠３と１群カバ−４との移動はバヨネット部２、３ａが互いに噛合うまで行なわれ、その後、全体の回転動作によりバヨネットでの結合動作が行われる。このバヨネット２、３ａが噛み合った状態を図２に示す。
【００１７】
符号１１は回転のみと回転進退とを選択的に行う回転枠であり、鏡枠の直進ガイドを行うガイド枠Ａ１４と共にストッパ１６により光軸方向に係止されつつガイド枠Ａ１４に対し回転可能に取り付けられている。ストッパ１６はカムピン１１ａと回転枠１１とに挟まれるように、回転枠１１に固着されており、カムピン１１ａは図５の展開図に示す固定枠１０の内側に設けられたカム溝１０ａに係合し、ガイド枠Ａ１４の凸部１４ａはカム溝１０ｂに係合している。
【００１８】
また符号１２は回転のみと回転進退とを行うカム枠であり、このカム枠１２はガイド枠Ａ１４と同じく鏡枠の直進ガイドをするガイド枠Ｂ１５と共に、図示しないストッパ手段によりスラスト方向に係止されつつガイド枠Ｂ１５に対し回転可能に取り付けられている。そしてガイド枠Ａ１４とガイド枠Ｂ１５は図８に示すように回転方向で噛み合い、進退方向には前後動できるようになっている。さらに、カム枠１２の凸部１２ａは図６の展開図に示すように回転枠１１の内側に設けられたカム溝１１ｃに係合し、ガイド枠Ｂ１５の凸部１５ａはカム溝１１ｂに係合している。
【００１９】
符号１３は回転のみの動作と直進のみの動作とを行う移動枠である。この移動枠１３の凸部１３ａは、カム枠１２に設けられたカム溝１２ｂと係合している。また、カムピン１３ｂをガイド枠Ｂ１５の直進溝に係合させている。
【００２０】
上記構成において、まず結合の動作につき説明する。まず、モータ２６により前記したごとく第１保持枠３と１群カバー４とが移動し、バヨネット部２、３ａが噛合ったところでモ？タ２０は一度動作が停止される。次に図示しない動力源からの動力が伝達ギヤ１８、固定枠１０に取り付けられたロングギヤ１７を介して、回転枠１１の周囲に設けられた円筒ギヤ１１ｄを駆動することにより、回転枠１１を回転させる。
【００２１】
上記回転枠１１が回転すると、それとともに回転枠１１に取り付けられたカムピン１１ａ、ストッパ１６が回転する。カムピン１１ａは、鏡枠の収納時には図５に示すように固定枠１０のカム溝１０ａの内の１１ａ部分に位置し、回転枠の回転により部分１１ａから部分１１ａ´まで移動する。この区間Ａでは回転枠１１は回転のみの動作となり、進退動作は行われない。またガイド枠Ａ１４もその一部が固定枠１０に設けられたカム溝１０ｂの内の１４ａ部分に位置し、回転枠１１の回転と共に部分１４ａから部分１４ａ´まで移動する。この区間Ｃにおいて、ガイド枠Ａ１４は回転枠１１に従う形で回転のみの動作となり、進退動作は行わない。
【００２２】
回転枠１１の回転によってストッパ１６が回転するため、ここで初めてストッパ１６の先端１６ａと係止部材５との係合が解かれる。したがって、第１の送りネジ８と、これを保持している第２保持枠２３、２群カバー７が進退方向でフリーとなる。この状態を光軸方向の撮像面側から見たものが図９であり、回転枠１１が矢印方向へ回転し、ストッパ１６の先端１６ａが１６ａ´の位置へ移動することで、係止部材５から離れ、フリーとなる。
【００２３】
回転枠１１とガイド枠Ａ１４とが進退せずにその場で回転すると、この回転枠１１の内周面側カム溝１１ｂ、１１ｃも同時に回転することになり、カム溝１１ｃに係合しているカム枠１２の係合部は１２ａから１２ａ´の位置へ移動する。またカム溝１１ｂに係合しているガイド枠Ｂ１５の係合部１５ａは、このガイド枠Ｂ１５に噛み合っているガイド枠Ａ１４が回転するため、１５ａから１５ａ´の位置へ移動する。これによりカム枠１２とガイド枠Ｂ１５とは図５に示す区間Ａと区間Ｃの領域で回転のみを行う。
【００２４】
カム枠１２とガイド枠Ｂ１５とが進退せずにその場で回転すると、カム枠１２の内周面側カム１２ｂも同時に回転することとなる。更に、移動枠１３に設けられているカムピン１３ｂと一体ピン１３ａがそれぞれガイド枠Ｂ１５の直進溝とカム枠１２のカム溝１２ｂに係合しているため、ガイド枠Ｂ１５及びカム枠１２が回転することにより、移動枠１３も同方向へ回転する。
移動枠１３が回転することで、第１保持枠３と移動枠１３とに設けられたバヨネット２、３ａで移動枠１３と第１保持枠３とが結合される。結合の際、第１保持枠３が移動枠１３に対し逃げないように、第１保持枠３とガイド枠Ａ１４との間には図示しない回転止めが設けられ、嵌合している。
【００２５】
結合終了後、結合動作を司る動力源（図示省略）は停止し、再度第２の保持枠２３に取り付けられたモ−タ２６が駆動される。この駆動力は、前述したのと同様の伝達系を伝わり、第２の送りネジ９に螺合したナット２４及び第１の送りネジに設けられたギヤ部８ａを介して第１の送りネジ８を回転させる。この場合、前述した第１保持枠３の進退時と違いストッパ１６と係止部材５との係止が解かれているため、第２の送りネジ９とナット２４の回転動作により、第２保持枠２３とそれに固定された２群カバ−７とが、撮像面から離れる方向へ移動し、所定の位置でモ−タ２６が停止し、移動が終了する。この移動時、第２の送りネジ９とナット２４の回転方向は、収納時からバヨネットによる結合までの第１保持枠３の移動時とは逆回転である。
【００２６】
この状態が、収納時から光学的に撮影可能な状態へと移った状態である（図３）。このとき、図５から図７に示す各カム溝上での各部材の係合ピン及び係合部の位置は、回転枠１１のカムピン１１ａは１１ａ´、ガイド枠Ａ１４の凸部１４ａは１４ａ´、カム枠１２の凸部１２ａは１２ａ´、ガイド枠Ｂ１５の凸部１５ａは１５ａ´、移動枠１３の凸部１３ａは１３ａ´である。
【００２７】
更に撮像面から遠ざかる方向へ繰り出す場合には、再度前記結合動作を司った動力源（図示省略）から動力が回転枠１１へ伝達され、結合動作時と同じ方向へ回転枠１１を回転させる。この回転動作により回転枠１１は、この回転枠１１に設けられたカムピン１１ａが１１ａ´の位置から区間Ｂを１１ａ´´まで回転しつつ進む。このときガイド枠Ａ１４は回転枠１１に回転方向では回転可能に、また光軸方向では係止されているため、回転枠１１が区間Ｂを移動して行くに伴ってカム溝１０ｂの区間Ｄを１４ａ´から１４ａ´´まで直線的に移動する。
【００２８】
回転枠１１が回転しつつ進むと、ガイド枠Ｂ１５に設けられた凸部１５ａが回転枠１１に設けられたカム溝１１ｂに係合しているため、上記凸部１５ａはカム溝１１ｂの斜面に沿って移動して行き、カム溝１１ｂが１１ｂ´から１１ｂ´´に移動すると１５ａも１５ａ´から１５ａ´´へと移動する。ガイド枠Ｂ１５は回転が規制されているため回転枠１１の回転により撮像面から離れる方向へ直進移動する。カム枠１２の一部である凸部１２ａは回転枠１１の直進カム溝１１ｃに係合している。回転枠１１が回転し、カム溝１１ｃが１１ｃ´から１１ｃ´´へと移動する。カム枠１２はガイド枠Ｂ１５により撮像面から離れる方向へ押されるためカム枠１２の一部である凸部１２ａは１２ａ´から１２ａ´´へ移動する。つまりカム枠１２は回転しつつ撮像面から離れる方向へ移動する。
【００２９】
移動枠１３は、それに設けられているカムピン１３ｂがガイド枠Ｂ１５にある直線溝に係合し、凸部１３ａがカム枠１２のカム溝１２ｂにカム係合しているため、カム枠１２の回転に応じてカム枠１２に設けられたカム溝１２ｂも１２ｂ´から１２ｂ´´まで移動する。カムピン１３ｂが回転規制されているため、カム枠１２の回転に伴い上記凸部１３ａは１３ａ´から１３ａ´´へ直進移動する。つまり、移動枠１３は回転せず撮像面から離れる方向へ直進移動する。鏡枠全体が撮像面から最も遠ざかった状態を図４に示す。この状態から収納状態へ戻る時は、これまでの動きを逆にたどれば良い。そして、この過程で前記バヨネット２、３ａによる第１保持枠３と移動枠１３との結合が、前記結合時とは逆の作動により解除される。
【００３０】
また、上記第１の送りネジ８と第２保持枠２３・２群カバ−７との間には、光軸方向に余裕を持たせるためのガタを設けてあり、第１の送りねじ８と第２の送りネジ９とのネジピッチの違いに対応できるように構成してある。
【００３１】
ちなみに、焦点調整は第２のレンズ群Ｌ２で行われる。その駆動はモ−タ２６からの動力がナット２４と第１の送りネジ８に伝達され、同時に同方向に回転することで、係止部材５とストッパ１６との間が解放された第２保持枠２３が、第２群案内軸２２に沿って移動することで行われる。
【００３２】
なお、第２保持枠２３に固定されている部材３４、３５は、第１保持枠３の内周と第２保持枠２３外周との間の隙間から侵入する光線漏れを防ぐための遮光部材である。ここで、上記部材３４はゴムあるいはゴムびき布などのフレキシブルな材質のシ−ト状部材にて形成されており、上記部材３５は上記部材３４の形を安定させたり、固定の際の作業をやり易くするため、堅めの材質のシ−ト状部材にて形成されている。またこのシ−ト状部材には滑りを良くするために潤滑処理を行っている。また上記各シ−ト材３４、３５は図１０に示すようなリング形状に形成されている。
【００３３】
なお、上記実施の形態においては遮光部材としてシ−ト状部材を使用しているが、この光線漏れ防止との観点からは、図１１に示すように、シ−ト材に変えて断面が山形状のゴム製リング３６にしても良い。この場合にも、滑りを良くするために潤滑処理を行っている。
また上記実施の形態においては、バヨネットにより保持枠と移動枠との結合・解放を行なわせているが、これはマグネットにより行わせることもできる。
【００３４】
（付記）
以上詳述したごとき本発明の実施の形態によれば、以下のような構成を得ることができる。すなわち、
（１）撮像面に最も接近する第１の位置と撮像面から最も遠ざかる第２の位置との間で移動可能なレンズ鏡枠において、
固定部材と、
上記固定部材に対し回転可能に設けられた回転枠と、
上記回転枠にカム係合し、固定部材に対し回転可能なカム枠と、
鏡枠の移動をガイドする移動ガイド手段と、
カム枠に係合し、回転枠の回転量に応じて移動する移動枠と、
レンズ鏡枠のレンズを保持する保持枠と
を有し、上記保持枠は上記第１の位置から第２の位置までの間で移動枠と結合・解放されることを特徴とするレンズ進退装置。
（２）撮像面に最も接近する第１の位置と撮像面から最も遠ざかる第２の位置との間で移動可能なレンズ鏡枠において、
固定部材と、
鏡枠の進退を行うための駆動手段と、
固定部材に対し回転可能に設けられた回転枠と、
上記回転枠にカム係合し、固定部材に対し回転可能なカム枠と、
鏡枠の移動をガイドする移動ガイド手段と、
カム枠に係合し回転枠の回転量に応じて移動する移動枠と、
レンズ鏡枠のレンズを保持する保持枠と、
を有し、上記保持枠は上記第１の位置から第２の位置までの間で移動枠と結合・解放されることを特徴とするレンズ進退装置。
（３）撮像面に最も接近する第１の位置と撮像面から最も遠ざかる第２の位置との間で移動可能なレンズ鏡枠において、
固定部材と、
上記固定部材に設けられた案内手段と、
上記案内手段に係合し回転可能に設けられた回転枠と、
上記回転枠にカム係合し、固定部材に対し回転可能なカム枠と、
鏡枠の移動をガイドする移動ガイド手段と、
カム枠に係合し、回転枠の回転量に応じて移動する移動枠と、
レンズ鏡枠のレンズを保持する保持枠と、
を有し、上記保持枠は上記第１の位置と第２の位置との間で移動枠と結合・解放されることを特徴とするレンズ進退装置。
【００３５】
（４）上記（１）（２）（３）のいずれかにおいて、保持枠と移動枠との結合・解放は撮像面に最も接近した位置と光学的に撮影可能な位置との間で行われることを特徴とするレンズ進退装置。
（５）上記（１）（２）（３）のいずれかにおいて、回転枠、カム枠、移動枠は回転のみを行う領域と進退移動のみを行う領域とを有することを特徴とするレンズ進退装置。
（６）上記（３）において、案内手段はカム或いはヘリコイドネジであることを特徴とするレンズ進退装置。
（７）上記（１）（２）（３）のいずれかにおいて、保持枠と移動枠との結合・解放は、撮像面に最も接近した位置から光学的に撮影可能な位置までの間であって、移動枠が回転を行う領域でバヨネットにより行われることを特徴としたレンズ進退装置。
（８）上記（１）（２）（３）のいずれかにおいて、保持枠と移動枠との結合・解放は、撮像面に最も接近した位置から光学的に撮影可能な位置までの間であって、マグネットにより行われることを特徴とするレンズ進退装置。
（９）上記（１）（２）（３）のいずれかにおいて、移動ガイド手段は複数の有底溝と、これに半径方向で嵌合している部材とを有していることを特徴とするレンズ進退装置。
【００３６】
（１０）レンズ群を保持する進退可能な第１レンズ保持枠と、
上記第１レンズ保持枠の内側であって、上記レンズ群とは異なるレンズ群を保持する進退可能な第２レンズ保持枠と、
動力手段と、
上記第１保持枠を進退させる第１の移動手段と、
上記第２保持枠を進退させる第２の移動手段と、
係止手段と、
を有し、上記動力手段により第１・第２レンズ保持枠が収納状態から光学的撮影可能状態へ進退可能とされることを特徴とするレンズ進退装置。
（１１）レンズ群を保持する進退可能な第１レンズ保持枠と、
上記第１レンズ保持枠の内側であって、上記レンズ群とは異なるレンズ群を保持する進退可能な第２レンズ保持枠と、
動力手段と、
上記第１レンズ保持枠を進退させる第１の移動手段と、
上記第２レンズ保持枠を進退させる第２の移動手段と、
動力手段からの駆動力を上記第１・第２の移動手段へ伝える動力伝達手段と、
係止手段と、
を有し、上記動力手段により第１・第２レンズ保持枠が収納状態から光学的撮影可能状態へ進退可能とされることを特徴とするレンズ進退装置。
【００３７】
（１２）上記（１１）において、動力手段及び動力伝達手段は、第２保持枠に設けられていることを特徴とするレンズ進退装置。
（１３）上記（１０）または（１１）において、第１の移動手段は、第２レンズ保持枠に取り付けられた第１の送り部材と、上記第１の送り部材に嵌合し第１の送り部材に沿って進退可能に設けられた第１レンズ保持枠の一部とで構成され、
第２の移動手段は第１保持枠に取り付けられた第２の送り部材と、第２の保持枠に取り付けられかつ第２の送り部材に嵌合し、第２の送り部材に沿って第２の保持枠を進退可能に構成されたことを特徴とするレンズ進退装置。
（１４）上記（１０）または（１１）において、係止手段は、第１の移動手段に設けられた第１の送り手段の進退を係止し、かつ、撮像面に最も接近する第１の位置から光学的に撮影可能な位置に第１の保持枠が移動した時点で係止を解くことを特徴とするレンズ進退装置。
（１５）上記（１０）において、第１・第２の送り部材はネジであることを特徴とするレンズ進退装置。
【００３８】
（１６）第１レンズ保持枠と、この第１レンズ保持枠の内側で移動する第２レンズ保持枠とを有するレンズ鏡枠において、
上記第２レンズ保持枠の周縁部にフレキシブル部材を設けたことを特徴とするレンズ鏡枠。
（１７）第１のレンズ保持枠と、この第１のレンズ保持枠の内側で移動する第２のレンズ保持枠とを有するレンズ鏡枠において、
上記第２のレンズ保持枠の周縁部にリング状のフレキシブルなシ−ト材を設け、第１のレンズ保持枠の内面に前記シ−ト材を添わせるようにしたことを特徴とするレンズ鏡枠。
（１８）上記（１７）において、リング状のフレキシブルなシ−ト材は遮光部材であることを特徴とするレンズ鏡枠。
（１９）上記（１７）または（１８）において、リング状のフレキシブルなシ−ト材はゴムまたはゴムびき布からなる薄片であることを特徴とするレンズ鏡枠。
（２０）上記（１９）において、薄片には潤滑処理が施されていることを特徴とするレンズ鏡枠。
【００３９】
（２１）上記（１９）において、薄片はフッ素処理が行われていることを特徴とするレンズ鏡枠。
（２２）上記（１７）において、リング状のフレキシブルなシ−ト材は布とゴムの複合材であることを特徴とするレンズ鏡枠。
（２３）上記（２２）において、複合材はフッ素処理が施されていることを特徴とするレンズ鏡枠。
（２４）第１のレンズ保持枠と、この第１のレンズ保持枠の内側で移動する第２のレンズ保持枠とを有するレンズ鏡枠において、
上記第２のレンズ保持枠の外周部にリング状のゴム部材を設け、このゴム部材が第１のレンズ保持枠の内周部に当接することを特徴とするレンズ鏡枠。
（２５）上記（２４）において、ゴム部材にはフッ素処理が行われていることを特徴とするレンズ鏡枠。
（２６）上記（２４）において、ゴム部材は遮光ゴム部材であることを特徴とするレンズ鏡枠。
（２７）上記（２４）において、ゴム部材の断面形状は山形であることを特徴とするレンズ鏡枠。
（２８）上記（１７）において、第１のレンズ保持枠の内面は潤滑処理が施されていることを特徴とするレンズ鏡枠。
【００４０】
【発明の効果】
以上説明したように、本発明によれば、ｎ段繰出しの鏡筒を構成する場合、従来技術における鏡筒と比べて、この鏡筒の鏡枠の数を減らすことができ、また、外径を小さくすることが可能となる。
【図面の簡単な説明】
【図１】本発明の実施の形態を示すものであって、鏡枠が収納状態となっている時の状態を示す断面図。
【図２】上記実施の形態における鏡枠の第１の移動状態を示す断面図。
【図３】上記実施の形態における鏡枠の第２の移動状態を示す断面図。
【図４】上記実施の形態における鏡枠の第３の移動状態を示す断面図。
【図５】上記実施の形態における固定枠のカム部分の展開図。
【図６】上記実施の形態における回転枠のカム部分の展開図。
【図７】上記実施の形態におけるカム枠のカム部分の展開図。
【図８】上記実施の形態におけるガイド枠Ａとガイド枠Ｂとの関係を示す、光軸方向からみた部分断面図。
【図９】上記実施の形態における鏡枠を撮像面側からみた部分拡大図。
【図１０】上記実施の形態における鏡枠の遮光部分を示す、光軸方向からみた断面図。
【図１１】上記実施の形態における遮光部分の変形例を示す断面図。
【図１２】先願の技術を示す断面図。
【符号の説明】
２  バヨネット
３  第１保持枠
３ａ  バヨネット
８  第１送りネジ
９  第２送りネジ
１０  固定枠
１１  回転枠
１２  カム枠
１３  移動枠
２３  第２保持枠
２６  モ−タ
２７  第３保持枠
【図１】
0003811237.tif 000002
【図２】
0003811237.tif 000003
【図３】
0003811237.tif 000004
【図４】
0003811237.tif 000005
【図５】
0003811237.tif 000006
【図６】
0003811237.tif 000007
【図７】
0003811237.tif 000008
【図８】
0003811237.tif 000009
【図９】
0003811237.tif 000010
【図１０】
0003811237.tif 000011
【図１１】
0003811237.tif 000012
【図１２】
0003811237.tif 000013